(57)【要約】      （修正有）【課題】現行歯ブラシは色々改良しつつありますが、例えば穂先のとんがり具合、電動式バイブレーター、など未だ歯磨きに充分ではありません。【解決手段】本考案の歯ブラシは、その植毛（支柱）の植えこみ構造を、現行の正四角形の角の交点に支柱を植込んであるのを改良して、ジグザクのコース上の角に植毛（支柱）の植えこんだ、配列構造にした。ブラシで歯を磨いた後の充実したミガキ感と、サッパリとした、清涼感が得られること、又使用後の手入れに於ても、支柱の根元の残留物の詰まりもよく取り除くことが出来ます。更に水洗いもらくに洗滌も出来ます。そして乾燥も早く乾き雑菌類の繁殖も防ぐことは出来ます。又義歯の手入れもよく出来ます。コスト面では、支柱の数が少なくなった丈材料費が少なくなり、製造時間も幾らか短縮される。【選択図】図３
0003128271.tif 000002
【実用新案登録請求の範囲】
【請求項１】
歯ブラシ本体（柄）の一部所をブラッシの植毛エリアと特定します。そこに両サイド夫々４５°（４５度）づつの角度を持つ対角線を設けて、それを、つなげて、延長し、ジグザクのコースを作ります。このコースの曲り角ど、角どは、又屈折点でもあります。屈折点から次の屈折点までの長さ、即ち、間隔を全屈折点間において、等しく同一にして、その屈折点を定穴点として、そこに植毛、即ち、支柱をたてた配列の構造を持った、歯ブラシであります。
【考案の詳細な説明】
【技術の分野】
【０００１】  人が酒に酔って、ヨロ、ヨロとヨロメク足取りで歩いて行く姿、例えば酔うて立どまっている処から、一歩踏み出した時、本人は、まっすぐ、まんまえ、と思い踏み出したのでしょうが、実際は少し斜め右前か、斜め左前のいづれかに出てしまったのです。然し、その一歩でて立ち止まった所で、方向の間違っているのに気がつくのです。この例として、初め、左斜め前方に来てしまってたち止まった時、気がついて、こんどはその場所から右斜め前に踏み出します。人間とは不思議なもので泥酔でないかぎり、酔うていても、本能的に中心を求めながら、前の方へ、前の方へと、チャント歩こうと努力しながら進むのであります。結局、左、右、左、右、又は右、左、右、左、へと斜めに、ヨロ、ヨロ、とジグザクのコースを作りながら進むわけであります。以上の状態と今一つ（図の項）の「図３」にあります、斜線部が一見菱形に見えますが、正しい菱形でなく、そのため、菱形の連続型を作ろうとしても駄目なものですから千鳥足型を採用させて貰い千鳥足型歯ブラシとさせて戴きました。
（図面の項）の中の「図３、図、４」でご理解戴けるものと思います。尚○印は植え込んだ植毛のことを表しております。
【背景の技術】
【０００２】  現行に於いては、義歯を含めて、歯を磨（ミガク）いた後、十分に磨いたと感ずることが出来ないことと、又使用後の歯ブラシの衛生管理面でよりよい状態に保つようにするのが目的であります。
「注」尚後述の文面の理解を早めるために、植毛のことを只、単に「支柱」と云う言葉に替えさせて戴きます。
【考案の開示】
【考案が理解しようとする課題】
【０００３】  現行の歯ブラシでブラッシングした場合葉の表面の凹部、歯の裏側、奥の方、歯茎まで磨くのが不十分であります。考案の目的は、改良はブラシを用いることにより、欠点を補い雑菌繁殖の防止、使用後の歯ブラシの手入れを十分にできるようにしたことです。
【課題を解決するための手段】
【０００４】  前述の（０００２）で植毛のことを支柱と云うようにお願いしました。その支柱をたてる場所は、ジグザクのコースの曲り角どの、角ど、角ど、・・・が定穴点となります。「図面の図１」を参照。同じく「図面の２」では、（イ）と（ロ）を結ぶ線が対角線であります。そして（イ）と（ロ）の点は支柱を植えこんでたてる定穴点で、俗に穴（ツボ）とも云われております。そして（イ）と（ロ）の距離は即ち間隔は（イ）と（ニ）（ニ）と（ロ）（イ）と（ハ）（ハ）と（ロ）の四辺の夫々の長さより、長い間隔で１．３倍もあります。無論（ハ）と（ニ）は支柱をたてる場所ではありません。本考案歯ブラシにおいてです。
現行の歯ブラシは、複数の縦線と横線を同一間隔にして多数の格子を作るように井桁に組み合わせます。そうしますと一つの格子に於いて四隅が夫々９０°（９０度）の角どを持った正四方形の面となります。四隅の角ど、角ど、・・・・は縦線と横線の交点で普通目と云われておるところであります。現行歯ブラシはこの目に支柱を植えこんであります。このようにして出来上がった支柱の配列は、丁度囲碁の碁石を打ったときの碁盤の目のように規則正しく整然とした四角形の碁盤の目型支柱が出来上がった感じとなります。「図４」参照
（図面２頁）「図４」を参照
従って、この支柱をたてた現行歯ブラシと考案の千鳥足型歯ブラシと区別し易いように現行はブラシの方を、碁盤の目型歯ブラシと呼ばさせて戴きます。この現行歯ブラッシ即ち碁盤の目型歯ブラシの支柱のたてかたは上記の如く碁盤の目型なる故に、前、後、左、右、の周りが四方同一の間隔の整然とした、そして、互いに密接的に接触し合い、その働きが制約し合っているため充分な作用が出来ない欠点があります。
これに加えてブラッシングの時、手からの動きに押されてくる圧力があります。この力が加わった時、前述の制約的な構造のために圧力の均一な分散を受けます。林のように数多く植っている支柱の中央部も端のほうの部分にも全く同等の圧力です。即ち、同等の力を吸収します。従ってどの支柱も同じ力しか働くことが出来ません。歯の状態に応じた柔軟な動きが出来ません。支柱は皆、平等な力を貰っているため、頑固になって集団的共同作業だけとなってしまいます。即ちブロック化  ブロック化とは大きな硬い塊にと多数の支柱が、只一個の支柱と変身して同一の共同作業しか出来ないことです。
（図面３頁）  「図６」参照
この側面図の赤色部は歯間ですが、支柱が皆同等の力を貰っているので突ぱってしまっています。此の碁盤の目型歯ブラシの支柱を１つ置きに、横列も、縦列も間引いて出来上った形が［０００１］のジグザクのコースと全く同じになります。
【考案の効果】
【０００５】  本考案の千鳥足型歯ブラシは構造的に歯の表面の凹部、歯間、歯茎、奥部、まで支柱の夫々の作用が充分にできるように支柱の周囲に於いて、隣接を避け、そして支柱同士で互いに働きを抹消、阻害、することのない配列構想に改良したことであります。前後、左右、の隣接する支柱を、始めから植えこまず除外してあるため、密接的な接触が起きること阻害がないため、夫々の支柱が充分な働きが出来ます。この配列構造にしたことと、加えて、歯ブラシ使用後の手入れがよく出来ます。支柱と支柱の間が広いため水の流れもよく、支柱間の根元につく残留物もよく洗浄することが出来ます。
【図面の簡単な説明】
【０００６】
【図１】  ジグザクコースです
【図２】  対角線（イ）と（ロ）が支柱の定穴点構想上必要な数字的、寸法の基礎です
【図３】  千鳥足型歯ブラシの支柱エリアの正面図○印は支柱を現しております。
【図４】  碁盤の目型歯ブラシの支柱エリアの正面図であります○印は支柱を現しております。
【図５】  千鳥足型歯ブラシの側面図です。斜線部分は歯の断面図です。
【図６】  碁盤の目型歯ブラシの側面図です。斜線部分は歯の断面図です。赤色は歯間です。支柱が突くぱって下に降りることが出来ません。
【図１】
0003128271.tif 000003
【図２】
0003128271.tif 000004
【図３】
0003128271.tif 000005
【図４】
0003128271.tif 000006
【図５】
0003128271.tif 000007
【図６】
0003128271.tif 000008
【手続補正書】
【提出日】平成18年10月3日(2006.10.3)
【手続補正１】
【補正対象書類名】実用新案登録請求の範囲
【補正対象項目名】全文
【補正方法】変更
【補正の内容】
【実用新案登録請求の範囲】
【請求項１】
歯ブラシ本体の植毛エリアにジクザクとしたコースの角ごとに植毛をすることにより植毛した点が正面方向から見て、千鳥足型となる構造を有する歯ブラシ。